(57)【要約】【課題】  音質および操作性を損なうことなく、よりコンパクトで楽器らしい外観を有する電子鍵盤楽器を提供する。【解決手段】  棚板４と、棚板４の上方に配置され、棚板４に支持されるとともに、前後方向に延び且つ左右方向に並ぶように設けられた複数の鍵１３を有する鍵盤装置１０と、棚板４と鍵盤装置１０の間に配置され、鍵１３の押鍵に伴い演奏音を放音するスピーカ５と、複数の鍵１３の前面を覆うように左右方向に延びる口棒８と、口棒８よりも下方に設けられ、口棒８の前端よりも奥側に配置された操作盤４０ａと、操作盤４０ａに設けられ、演奏をコントロールするための所定の演奏機能を設定するために操作される操作子４３と、を備えている。【選択図】  図２
2005266176.tif 000002
【特許請求の範囲】
【請求項１】
棚板と、
当該棚板の上方に配置され、当該棚板に支持されるとともに、前後方向に延び且つ左右方向に並ぶように設けられた複数の鍵を有する鍵盤装置と、
前記棚板と前記鍵盤装置の間に配置され、前記鍵の押鍵に伴い演奏音を放音するスピーカと、
を備えていることを特徴とする電子鍵盤楽器。
【請求項２】
前記棚板に設けられ、前記鍵盤装置を、前記棚板との間に前記スピーカの高さに応じた所定の間隔を存した状態で支持する鍵盤装置支持部材をさらに備えていることを特徴とする請求項１に記載の電子鍵盤楽器。
【請求項３】
前記棚板と前記複数の鍵の間にそれぞれ設けられ、前後方向の一端部において支点に回動自在に支持され、当該支点から他端側に前後方向に延びる主要部を有し、対応する前記鍵の押鍵に伴い回動する複数のハンマーをさらに備え、
前記スピーカは、前記支点を間にして前記ハンマーの前記主要部と反対側に配置されていることを特徴とする請求項１または２に記載の電子鍵盤楽器。
【請求項４】
複数の鍵を有する楽器本体と、
当該楽器本体に着脱自在に設けられ、前記複数の鍵を開閉するための鍵盤蓋と、
前記楽器本体を支持するとともに、前記鍵盤蓋を着脱自在に取り付けるための鍵盤蓋取付け部を有するスタンドと、
を備えていることを特徴とする電子鍵盤楽器。
【請求項５】
前記スタンドは、前記楽器本体の後部の下方に、左右方向に延びるとともに、前記鍵盤蓋取付け部を有する背板を有し、
前記鍵盤蓋は、フェルトが貼り付けられた係合部を有し、当該係合部が前記フェルトを介して前記鍵盤蓋取付け部に係合した状態で、前記背板に取り付けられることを特徴とする請求項４に記載の電子鍵盤楽器。
【請求項６】
棚板と、
複数の鍵を有し、前記棚板に支持された鍵盤装置と、
当該鍵盤装置の前面を覆うように左右方向に延びる口棒と、
当該口棒よりも下方に設けられ、前記口棒の前端よりも奥側に配置された操作盤と、
当該操作盤に設けられ、演奏をコントロールするための所定の演奏機能を設定するために操作される操作子と、
を備えていることを特徴とする電子鍵盤楽器。                       
【請求項７】
前記棚板に設けられたスピーカと、
前記棚板に設けられるとともに前記操作子および前記スピーカに接続され、前記鍵の押鍵に伴い、前記操作子によって設定された前記所定の演奏機能に応じた演奏音を生成し、前記スピーカから放音させるための電子基板と、
を備えていることを特徴とする請求項６に記載の電子鍵盤楽器。
【請求項８】
前記操作盤は、前記口棒よりも暗い色彩を有していることを特徴とする請求項６または７に記載の電子鍵盤楽器。
【請求項９】
奥側に向かって下方に傾斜する棚板と、
当該棚板に設けられた鍵盤装置支持部材と、
当該鍵盤装置支持部材によって水平な状態で支持された鍵盤装置と、
を備えていることを特徴とする電子鍵盤楽器。
【請求項１０】
奥側に向かって下方に傾斜する棚板と、
当該棚板に設けられた鍵盤装置支持部材と、
複数の鍵を有し、当該鍵盤装置支持部材によって水平な状態で支持された鍵盤装置と、
放音面が、前記棚板に沿い且つ下方に向いた状態で前記棚板に設けられ、前記鍵の押鍵に伴い演奏音を放音するスピーカと、
を備えていることを特徴とする電子鍵盤楽器。
【発明の詳細な説明】
【技術分野】
【０００１】
本発明は、電子鍵盤楽器に関し、特に、鍵盤装置およびスピーカなどを有する楽器本体の構成に関する。
【背景技術】
【０００２】
従来の電子鍵盤楽器として、例えば特許文献１に開示されたものが知られている。この電子鍵盤楽器は、鍵盤と、その奥側に配置されたパネル面などを備えており、このパネル面には、多数のスイッチが設けられている。また、前端部の口棒部にも、スイッチが設けられており、パネル面および口棒部のスイッチを操作することにより、電子鍵盤楽器に種々のリズムで演奏させることができる。
【０００３】
一方、図７および８は、従来の一般的な電子鍵盤楽器を示している。図７の電子鍵盤楽器９０は、楽器本体９１およびこれを支持するスタンド９２を備えており、楽器本体９１は、棚板９３と、この棚板９３上に設けられた鍵盤装置９４およびスピーカ９５を有している。鍵盤装置９４は棚板９３の前部に設けられ、スピーカ９５は、棚板９３の鍵盤装置９４よりも後方の位置に、その放音面を下方に向けた状態で設けられており、鍵盤装置９４の鍵９４ａが押鍵されるのに伴い、スピーカ９５の放音面から演奏音が放音される。
【０００４】
また、図８の電子鍵盤楽器９６は、楽器本体９７、これを支持するスタンド９８、およびスピーカボックス９９を備えている。楽器本体９７は、棚板１００およびその上に設けられた鍵盤装置１０１を有しており、スピーカボックス９９は、棚板１００の下方に設けられ、その内部には、放音面を前方に向けた状態でスピーカ１０２が設けられている。このスピーカ１０２は、鍵盤装置１０１の鍵１０１ａが押鍵されるのに伴い、演奏音を放音する。
【０００５】
また、これらの電子鍵盤楽器９０および９６とは異なるレイアウトでスピーカを配置した従来の電子鍵盤楽器として、例えば特許文献２に開示されたものが知られている。この電子鍵盤楽器の楽器本体は、棚板と、その上面に設けられた鍵盤と、棚板の上面の鍵盤よりも後方、および棚板の下方にそれぞれ設けられたスピーカとを有している。鍵盤よりも後方のスピーカは、その放音面が、前方の演奏者側に向くように配置されている。また、棚板の下方のスピーカは、左右２つのスピーカボックス内にそれぞれ配置されており、その放音面は、前方の演奏者側に向けられている。これらのスピーカは、鍵盤の鍵が押鍵されるのに伴い、演奏音を放音する。
【０００６】
また、一般に、上述した電子鍵盤楽器のスピーカ付近には、音源・アンプ用の電子基板が設けられ、スイッチ付近の電子鍵盤楽器内部には、スイッチ用の電子基板が設けられており、両者は互いに接続されていて、スイッチによって設定されたリズムなどの演奏機能に応じて生成された演奏音が、スピーカから放音される。
【０００７】
また、高音域の演奏音は、比較的指向性が強いため、前述した電子鍵盤楽器９０のように放音面を下方に向けて配置したスピーカを備えた電子鍵盤楽器では、演奏者などに届き難いことがある。このため、高音域の演奏音を補強するために、高音用のツィータが設けられる場合がある。
【０００８】
前述した特許文献１の電子鍵盤楽器には、以下のような問題がある。すなわち、この電子鍵盤楽器では、鍵盤の奥側のパネル面には、多数のスイッチが配置されており、このようなスイッチは、通常、アコースティックな鍵盤楽器には存在しないものであるため、これらのスイッチが、電子鍵盤楽器に鍵盤楽器らしくない違和感を与えてしまう。
【０００９】
また、前述した一般的な電子鍵盤楽器および特許文献２の電子鍵盤楽器には、以下のような問題がある。すなわち、これらの電子鍵盤楽器では、スピーカを設けるスペースを確保するために、楽器本体を前後方向に延長したり、楽器本体の下方にスピーカボックスを設けたりしており、特に特許文献２の電子鍵盤楽器では、これらの双方を実施しているため、その分、製造コストが増加するとともに、鍵盤楽器の特に楽器本体のサイズが大きくなることにより、より大きな設置面積が必要になってしまう。
【００１０】
本発明は、以上のような課題を解決するためになされたものであり、音質および操作性を損なうことなく、よりコンパクトで楽器らしい外観を有する電子鍵盤楽器を提供することを目的としている。
【００１１】
【特許文献１】特公平７−１０７６３８号公報  （第２，５頁、第１図）
【特許文献２】特開平７−２４８７６７号公報  （第４頁、第１，３図）
【発明の開示】
【課題を解決するための手段】
【００１２】
この目的を達成するために、本発明の請求項１に係る発明は、棚板と、棚板の上方に配置され、棚板に支持されるとともに、前後方向に延び且つ左右方向に並ぶように設けられた複数の鍵を有する鍵盤装置と、棚板と鍵盤装置の間に配置され、鍵の押鍵に伴い演奏音を放音するスピーカと、を備えていることを特徴とする。
【００１３】
この電子鍵盤楽器によれば、棚板の上方には、左右方向に並ぶように設けられた複数の鍵を有する鍵盤装置が支持されている。また、棚板と鍵盤装置の間には、放音面を下方に向けた状態でスピーカが配置されており、このスピーカは、鍵盤装置の鍵が押鍵されるのに伴い、演奏音を放音する。このような構成によれば、棚板と鍵盤装置の間の空間に、スピーカが配置されていることにより、棚板の下方や鍵盤装置の後方にスピーカを設けるための構成が不要になるので、その分、製造コストを削減することができるとともに、電子鍵盤楽器をコンパクトにすることができる。
【００１４】
本発明の請求項２に係る発明は、請求項１に記載の電子鍵盤楽器において、棚板に設けられ、鍵盤装置を、棚板との間にスピーカの高さに応じた所定の間隔を存した状態で支持する鍵盤装置支持部材をさらに備えていることを特徴とする。
【００１５】
この電子鍵盤楽器によれば、鍵盤装置は、鍵盤装置支持部材によって、棚板との間にスピーカの高さに応じた間隔を存して支持されており、それにより、棚板、スピーカおよび鍵盤装置は、互いに上下方向にほぼ隙間なく並んでいる。したがって、電子鍵盤楽器を、その高さを最小限に構成することによって、よりコンパクトにすることができる。
【００１６】
また、スピーカおよび鍵盤装置は、互いにほぼ隙間なく配置されていることにより、スピーカから放音された演奏音は、左右方向に並ぶ複数の鍵の間の隙間を通過し、演奏者などに直接、到達する。鍵の間の隙間は非常に狭いので、波長の短い高音域の音がこの隙間を通過しやすい。したがって、特に高音域の演奏音が、スピーカから演奏者などに直接、届くことにより、高音域の音質を、従来よりも向上させることができる。さらに、高音域の音質の向上により、従来、使用されることのあった高音用のツィータが不要になるので、その分、製造コストをさらに削減することができる。
【００１７】
本発明の請求項３に係る発明は、請求項１または２に記載の電子鍵盤楽器において、棚板と複数の鍵の間にそれぞれ設けられ、前後方向の一端部において支点に回動自在に支持され、支点から他端側に前後方向に延びる主要部を有し、対応する鍵の押鍵に伴い回動する複数のハンマーをさらに備え、スピーカは、支点を間にしてハンマーの主要部と反対側に配置されていることを特徴とする。
【００１８】
この電子鍵盤楽器によれば、鍵盤装置と棚板の間には、鍵の押鍵によって回動する複数のハンマーが設けられている。各ハンマーは、一端部において支点に回動自在に支持され、この支点から主要部が他端部側に前後方向に延びており、スピーカは、この支点を間にしてハンマーの主要部と反対側に配置されている。このような構成によれば、棚板と鍵盤装置の間のハンマーの主要部が回動する空間を避けた位置にスピーカが配置されるので、ハンマーの回動を邪魔することがないとともに、電子鍵盤楽器を全体としてよりコンパクトにすることができる。
【００１９】
本発明の請求項４に係る発明は、複数の鍵を有する楽器本体と、楽器本体に着脱自在に設けられ、複数の鍵を開閉するための鍵盤蓋と、楽器本体を支持するとともに、鍵盤蓋を着脱自在に取り付けるための鍵盤蓋取付け部を有するスタンドと、を備えていることを特徴とする。
【００２０】
この電子鍵盤楽器によれば、複数の鍵を有する楽器本体は、スタンドによって支持されている。また、この電子鍵盤楽器には、複数の鍵を開閉するための鍵盤蓋が、楽器本体に着脱自在に設けられており、また、スタンドには、この鍵盤蓋を着脱自在に取り付けるための鍵盤蓋取付け部が設けられている。このような構成によれば、例えば、演奏時に鍵盤蓋を楽器本体から取り外したときに、取り外した鍵盤蓋を、スタンドの鍵盤蓋取付け部に取り付けて保管することができる。それにより、楽器本体から取り外した鍵盤蓋を、演奏中に、他の場所に保管したり、楽器本体や壁などに立て掛けて保管したりする必要がない。したがって、鍵盤蓋の紛失や破損、および鍵盤蓋によって楽器本体やスタンドを傷付けてしまうことなどを防止することができる。
【００２１】
本発明の請求項５に係る発明は、請求項４に記載の電子鍵盤楽器において、スタンドは、楽器本体の後部の下方に、左右方向に延びるとともに、鍵盤蓋取付け部を有する背板を有し、鍵盤蓋は、フェルトが貼り付けられた係合部を有し、係合部がフェルトを介して鍵盤蓋取付け部に係合した状態で、背板に取り付けられることを特徴とする。
【００２２】
この電子鍵盤楽器によれば、鍵盤蓋は、フェルトが貼り付けられた係合部を有している。また、スタンドには、楽器本体の後部の下方に、左右方向に延びる背板が設けられており、鍵盤蓋は、その係合部が、フェルトを介して背板の鍵盤蓋取付け部に係合した状態で背板に取り付けられる。それにより、鍵盤蓋が背板に取り付けられた状態では、演奏中に、鍵盤蓋の係合部と、背板の鍵盤蓋取付け部の間にフェルトが介在していることにより、演奏音によって鍵盤蓋が共振することや、強く押鍵したときの衝撃などにより鍵盤蓋が振動することを防止できるので、演奏中、これらの共振や振動に起因する雑音の発生を防止することができる。また、鍵盤蓋が背板に取り付けられた状態では、鍵盤蓋は、楽器本体の後部の下方に配置されることにより、電子鍵盤楽器の設置面と楽器本体の間の空間が確保されるので、演奏者は、鍵盤蓋が邪魔になることなく通常の姿勢で演奏することができる。
【００２３】
本発明の請求項６に係る発明は、棚板と、複数の鍵を有し、棚板に支持された鍵盤装置と、複数の鍵の前面を覆うように左右方向に延びる口棒と、口棒よりも下方に設けられ、口棒の前端よりも奥側に配置された操作盤と、操作盤に設けられ、演奏をコントロールするための所定の演奏機能を設定するために操作される操作子と、を備えていることを特徴とする。
【００２４】
この電子鍵盤楽器によれば、棚板に支持された複数の鍵を有する鍵盤楽器の前方には、複数の鍵の前面を覆うように左右方向に延びる口棒が設けられており、この口棒よりも下方かつその前端よりも奥側には、操作盤が配置されている。この操作盤には、操作子が設けられており、この操作子を操作することにより、例えば演奏音の音量や音色などの演奏をコントロールするための所定の演奏機能が設定される。
【００２５】
このような構成によれば、操作盤が口棒によって隠されることにより、操作盤および操作子が、従来の電子鍵盤楽器のパネル面およびスイッチなどよりも演奏者などから見え難くなる。それにより、電子楽器特有の演奏機能を設定するための操作盤および操作子を省略することなく、すなわち電子楽器としての演奏機能や操作性を損なうことなく、演奏者などに、外観について違和感を感じさせず、より鍵盤楽器らしい印象を与えることができる。
【００２６】
本発明の請求項７に係る発明は、請求項６に記載の電子鍵盤楽器において、棚板に設けられたスピーカと、棚板に設けられるとともに操作子およびスピーカに接続され、鍵の押鍵に伴い、操作子によって設定された所定の演奏機能に応じた演奏音生成し、スピーカに放音させるための電子基板と、を備えていることを特徴とする。
【００２７】
この電子鍵盤楽器によれば、棚板には、スピーカおよび電子基板が配置されており、演奏者は、電子基板に接続された操作子を操作することにより、演奏音の音色などの演奏機能を設定する。そして、鍵を押鍵することにより、設定された演奏機能に応じた演奏音が、電子基板によって生成され、これに接続されたスピーカから、演奏音が放音される。
【００２８】
このような構成によれば、電子基板およびスピーカが、ともに棚板に設けられ、互いに近い位置に配置されていて、電子基板は、演奏機能を設定するための操作子およびスピーカの双方に接続されていることにより、両者のための電子基板を、互いに近づけて配置することが可能である。したがって、両者の基板間を接続するための配線を短くあるいは不要とすることができるので、その分、製造コストを削減することができるとともに、配線に電流が生じることによる電磁波の発生を抑制することができる。
【００２９】
本発明の請求項８に係る発明は、請求項６または７に記載の電子鍵盤楽器において、操作部は、口棒よりも暗い色彩を有していることを特徴とする。
【００３０】
この電子鍵盤楽器によれば、操作部は、口棒よりも暗い色彩を有しているので、口棒よりも下方かつ奥側に配置されていることと相まって、操作盤を目立ち難くすることができる。したがって、操作盤およびこれに設けられた操作子が目立たなくなることで、アコースティックな鍵盤楽器により近い外観を得ることができる。
【００３１】
本発明の請求項９に係る発明は、奥側に向かって下方に傾斜する棚板と、棚板に設けられた鍵盤装置支持部材と、鍵盤装置支持部材によって水平な状態で支持された鍵盤装置と、を備えていることを特徴とする。
【００３２】
この電子鍵盤楽器によれば、奥側に向かって下方に傾斜するように配置された棚板の上方には、鍵盤装置支持部材によって、鍵盤装置が水平な状態で支持されている。このような構成によれば、鍵盤装置と棚板の間に空間が形成されるので、この空間にスピーカなどの構成部品を配置することができ、それにより、電子鍵盤楽器をコンパクトにすることができる。また、棚板が傾斜して配置されていることにより、電子鍵盤楽器の設置面と楽器本体の間の空間が、演奏者側ほど広く確保されるので、演奏者の脚が棚板に当ることなく演奏を行うことができる。
【００３３】
本発明の請求項１０に係る発明は、奥側に向かって下方に傾斜する棚板と、棚板に設けられた鍵盤装置支持部材と、複数の鍵を有し、鍵盤装置支持部材によって水平な状態で支持された鍵盤装置と、放音面が、棚板に沿い且つ下方に向いた状態で棚板に設けられ、鍵の押鍵に伴い演奏音を放音するスピーカと、を備えていることを特徴とする。
【００３４】
この電子鍵盤楽器によれば、奥側に向かって下方に傾斜するように配置された棚板の上方には、鍵盤装置支持部材によって、鍵盤装置が水平な状態で支持されている。また、棚板には、鍵の押鍵に伴い、演奏音を放音するスピーカが設けられており、このスピーカは、その放音面が、棚板に沿い且つ下方に向いた状態で、すなわち、前側に斜め下方に向かうように配置されている。
【００３５】
このような構成によれば、前述した請求項９に係る発明と同様の効果を得ることができる。また、スピーカの放音面が、前側に斜め下方に向かって配置されていることにより、従来の下方に向かって配置されている場合よりも、演奏音が演奏者などにより届き易い。したがって、この電子鍵盤楽器では、コンパクトな外形を維持しながら、より高音質の演奏音を演奏者などに届けることができる。
【００３６】
また、特に、この電子鍵盤楽器が卓上型のものである場合、棚板と、電子鍵盤楽器が設置された面の間に、前方の演奏者側に開放する空間が形成され、演奏音は、この空間を通過して演奏者などに届く。それにより、放音面を鉛直下方に向けて配置したスピーカを備えた卓上型の電子鍵盤楽器による場合、すなわちスピーカの放音面と鍵盤楽器が載置された面とが互いに接して対向している場合と比較して、演奏者などは、より明瞭な演奏音を聴くことができる。
【図面の簡単な説明】
【００３７】
【図１】本発明の第１実施形態による電子ピアノを示す斜視図である。
【図２】図１の電子ピアノの線Ａ−Ａに沿う断面図である。
【図３】図１の電子ピアノの背板および鍵盤蓋の斜視図であり、両者が互いに分離した状態を示している。
【図４】図１の電子ピアノの鍵盤蓋を背板に取り付けた状態を示す側面図である。
【図５】本発明の第２実施形態による電子ピアノを示す断面図である。
【図６】本発明の第３実施形態による電子ピアノを示す断面図である。
【図７】放音面を下方に向けた状態で鍵盤装置の後方に配置したスピーカを有する従来の電子鍵盤楽器を示す断面図である。
【図８】棚板の下方にスピーカボックスを設けた従来の電子鍵盤楽器を示す断面図である。
【発明を実施するための最良の形態】
【００３８】
以下、図面を参照しながら、本発明の実施形態を詳細に説明する。図１および２は、本発明の第１実施形態による電子ピアノ１（電子鍵盤楽器）を示している。この電子ピアノ１は、ピアノ本体２（楽器本体）と、このピアノ本体２の左右両端部から下方に延び、これを支持するスタンド１１，１１などを備えている。ピアノ本体２は、全体として左右方向（図２の奥行方向）に延びており、左右両端部の側板３，３と、両側板３，３間に設けられた棚板４と、この棚板４に設けられた例えば２つのスピーカ５，５（図２に１つのみ図示）および鍵盤装置１０と、鍵盤装置１０の鍵１３を開閉するための鍵盤蓋５０などを有している。
【００３９】
棚板４は、左右方向に長い平板であり、左右の側板３，３間に水平に延びている。この棚板４の前端部および後端部（図２の左端部および右端部）には、それぞれ左右方向に並ぶように複数の長ねじ７（前後各１つのみ図示）が設けられており、各長ねじ７は、棚板４およびスペーサ６に下方から通され、前後の連結バー１６ａ，１６ｄのいずれかの下端部にねじ込まれている。鍵盤装置１０は、複数の長ねじ７や連結バー１６ａ，１６ｄなどを介して、棚板４の上方に支持されている。
【００４０】
鍵盤装置１０は、８８鍵用のものであり、図２に示すように、シャーシ１２と、シャーシ１２の後端部に回動自在に取り付けられた白鍵１３ａおよび黒鍵１３ｂから成る８８個の鍵１３（図２には白鍵１３ａおよび黒鍵１３ｂの各１つのみ図示）と、鍵１３の押鍵情報を検出するための鍵スイッチ３０などを備えている。また、この鍵盤装置１０のシャーシ１２には、鍵１３ごとにハンマー１４（１つのみ図示）が回動自在に設けられている。
【００４１】
シャーシ１２は、オクターブごとに分割された複数のシャーシ１２（１つのみ図示）で構成され、左右方向に並んだ状態で、４個の連結バー１６ａ〜１６ｄにねじ１９によって互いに固定されている。これらの連結バー１６ａ〜１６ｄは、それぞれ左右方向に延び、前後方向に並ぶように配置されている。これらは、それぞれシャーシ１２の左右方向の全体にわたる長さの細長い１本のアングル状のものであり、例えば鋼板の曲げ加工によって形成されている。また、前後方向に延びる補強用のリブ１８がオクターブごとに配置されており（１つのみ図示）、このリブ１８は、例えば１枚の鋼板を金型を用いて曲げプレス加工することによって形成されている。以上のように連結バー１６ａ〜１６ｄで一体に連結され、リブ１８で補強されたシャーシ１２は、前述した複数の長ねじ７によって、前後の連結バー１６ａ，１６ｄを介して、棚板４にこれとの間に所定の間隔を存した状態で支持されている。
【００４２】
シャーシ１２の後端部には、鍵１３を支持する鍵用軸孔２１が、中央には、ハンマー１４を支持するハンマー用凹部２２が、さらに、前部および中央には、ハンマー１４が通過する第１および第２ハンマー通過孔２３ａ，２３ｂが、第１ハンマー通過孔２３ａの後ろ側には、鍵１３のストッパ部２４が通過する鍵通過孔２５が、それぞれ鍵１３ごとに形成されている。さらに、シャーシ１２には、第１ハンマー通過孔２３ａの前側で各白鍵１３ａに相当する位置に白鍵用ガイド２６ａが、鍵通過孔２５の後ろ側で各黒鍵１３ｂに相当する位置に黒鍵用ガイド２６ｂが、それぞれ立設されている。
【００４３】
また、シャーシ１２には、鍵１３およびハンマー１４の回動を規制するために、黒鍵用および白鍵用の鍵下限ストッパ２７ａ，２７ｂ、鍵上限ストッパ２８、ハンマー下限ストッパ２９、およびハンマー上限ストッパ３４が設けられている。黒鍵用の鍵下限ストッパ２７ａおよび鍵上限ストッパ２８は、鍵通過孔２５と黒鍵用ガイド２６ｂの間の同じ位置に、シャーシ１２を挟むようにしてシャーシ１２の上面および下面にそれぞれ取り付けられている。また、ハンマー下限ストッパ２９は、前側の連結バー１６ａの下端部に取り付けられ、ハンマー上限ストッパ３４および白鍵用の鍵下限ストッパ２７ｂは、白鍵用ガイド２６ａよりも後ろ側に位置して、シャーシ１２を挟むようにしてシャーシ１２の上面および下面にそれぞれ取り付けられている。これらのストッパ２７ａ，２７ｂ，２８，２９，３４はいずれも、シャーシ１２の左右方向の全体にわたる１本の帯状の緩衝材、例えば、表面にフェルトを貼り付けた発泡ウレタンなどで構成されている。
【００４４】
さらに、鍵スイッチ３０は、シャーシ１２のハンマー用凹部２２よりも後ろ側に設けられている。この鍵スイッチ３０は、シャーシ１２にねじ止めされたプリント基板３１と、その上面に設けられたスイッチ本体３２とを有している。スイッチ本体３２は、シャーシ２の第２ハンマー通過孔２３ｂに下方から臨んでおり、プリント基板３１を介して、後述する演奏音の発音を制御するための発音制御装置４１に接続されている。
【００４５】
鍵１３（白鍵１３ａおよび黒鍵１３ｂ）は、例えばＡＳ樹脂の射出成形品で構成されており、両側壁１３ｃ（図２に一方のみ図示）と天壁１３ｄなどを有し、底面が開放した逆Ｕ字形の断面を有している。これらの鍵１３は、互いにわずかな間隙を存した状態で左右方向に並んでいる。各鍵１３の両側壁１３ｃの後端部には、内方に突出する左右のピン３３，３３（１つのみ図示）が形成されていて、このピン３３がシャーシ１２の後端部の鍵用軸孔２１に両側から係合することによって、鍵１３がシャーシ１２に回動自在に支持されている。また、鍵１３には、その両側壁１３ｃに前部から下方に延びるフック状のストッパ部２４が形成されている。
【００４６】
一方、ハンマー１４は、鍵１３の下方で前後方向に延びるハンマー本体３５と、ハンマー本体３５の前端部の左右両側部に取り付けられた２枚の質量板３６、３６（図２に片側のもののみ図示）と、ハンマー本体３５の前端部に設けられたストッパ３５ａなどで構成されている。ハンマー本体３５は、ＡＢＳ樹脂の射出成形品などで構成され、その後端部には両側方に突出する左右のピン３７，３７（支点）（１つのみ図示）が形成されていて、これらのピン３７，３７が、その両側に位置するシャーシ１２のハンマー用凹部２２，２２（１つのみ図示）に係合することによって、ハンマー１４がシャーシ１２に回動自在に支持されている。ハンマー本体３５は、ピン３７から前方に長く延びる主要部３５ｂと、後ろ側のスイッチ押圧部３８により構成されている。また、質量板３６は、ハンマー１４にアコースティックピアノと同様のタッチ重さを付与するためのものであり、ハンマー本体３５よりも比重の大きな鋼板などで構成されている。
【００４７】
鍵盤装置１０の前方には、口棒８が設けられている。この口棒８は、例えば木質材によって構成され、左右の側板３，３間にわたって延びており、それにより、鍵盤装置１０の前面をほぼ覆っている。また、この口棒８の背面のほぼ下半分には、左右方向にわたって延びる切欠き８ａが形成されており、この切欠き８ａのほぼ垂直に延びる取付け面８ｂには、操作盤取付けバー４０が取り付けられている。
【００４８】
操作盤取付けバー４０は、例えば１枚の鋼板を曲げ加工することによって所定の形状に形成されており、後述するスイッチ類４３（操作子）を取り付けるための操作盤４０ａを有している。また、この操作盤取付けバー４０は、左右の側板３，３間にわたって延びており、口棒８および棚板４の双方に取り付けられていて、口棒８および棚板４に取り付けられた状態では、切欠き８ａの取付け面８ａから口棒８の底面に沿って延び、口棒８の前面よりも後方で下方に屈曲している。それにより、操作盤４０ａが下方にほぼ垂直に延びており、その下端部において後方にさらに屈曲することにより、操作盤取付けバー４０は、棚板４の前端部の下面に沿うように延びている。このような操作盤取付けバー４０は、口棒８には、後方から複数のねじ９（１つのみ図示）が取付け面８ｂにねじ込まれることによって固定され、棚板４には、前述した棚板４の前端部の複数の長ねじ７と棚板４との間に挟まれた状態で、長ねじ７がねじ込まれることによって固定されている。また、この操作盤取付けバー４０の垂直に延びる操作盤４０ａには、スイッチ類４３用の複数のスイッチ孔４０ｂが形成されており、操作盤４０ａの前面の全体には、口棒８よりも暗い色彩の塗装が施されている。
【００４９】
棚板４の左端部には、前述した発音制御装置４１が設けられている。この発音制御装置４１は、例えばマイクロコンピュータと、演奏音を生成するための音源・アンプ用などの電子基板４２などによって構成されており、棚板４と鍵盤装置１０およびハンマー１４との間の空間に配置され、棚板４の上面に取り付けられている。また、電子基板４２は、その前端部にスイッチ用基板４２ａを一体に有しており、このスイッチ用基板４２ａは、前述した操作盤取付けバー４０の操作盤４０ａの後方に配置されていて、スイッチ用基板４２ａには、複数のスイッチ類４３が、前方に突出するように設けられており、これらのスイッチ類４３は、前述した操作盤４０ａの複数のスイッチ孔４０ｂを介して、操作盤４０ａよりも前方に突出している。このような複数のスイッチ類４３は、演奏者によって操作されることにより、電源のＯＮ・ＯＦＦを切り換えたり、演奏音の音色、音量およびリズムなどを変化させるなどの所定の演奏機能を設定したりするためのものである。
【００５０】
２つのスピーカ５，５もまた、棚板４と鍵盤装置１０の間の空間に設けられている。棚板４の後端部には、２つの放音孔４ａ，４ａ（１つのみ図示）が、左右方向に所定の間隔を存して並ぶとともに上下方向に貫通するように形成されており、２つのスピーカ５，５は、放音孔４ａ，４ａをそれぞれ上方から覆うように配置され、複数のねじ４４によって棚板４に固定されている。それにより、各スピーカ５の放音面５ａは、下方に向かっている。また、スピーカ５は、前述した発音制御装置４１に接続されており、鍵１３の押鍵に伴い、発音制御装置４１によって生成された演奏音をその放音面５ａから放音する。
【００５１】
ピアノ本体２の後端部には、背壁４５、屋根板４６および前板４７が設けられている。これら３者４５〜４７は、左右の側板３，３間に延びており、背壁４５は、棚板４および鍵盤装置１０の後方に配置され、両者４，１０を後方から覆っている。また、屋根板４６は、背壁４５の上端部から前方に延びており、鍵１３の後端部を上方から覆っている。また、前板４７は、屋根板４６の前端部から下方に鍵１３よりもやや上方まで延びており、この前板４７と黒鍵１３ｂの間には、所定の間隙が設けられている。
【００５２】
鍵盤蓋５０は、鍵盤装置１０を閉鎖した状態では、口棒８および鍵盤装置１０に載置されている。この鍵盤蓋５０は、前端部の前付５１、後端部の取付けバー５２および両者５１，５２間の鍵盤蓋本体５３などを有しており、これら３者５１〜５３は、左右方向に並ぶ８８個の鍵１３にわたって延びている。鍵盤蓋本体５３は、左右方向に長い平板であり、口棒８の上方から前板５１の手前にわたって前後方向に延びており、左右方向にわたって延びる凸部５３ａが、前方に突出している。また、前付５１の上端部の後部には、左右方向にわたって延びる溝５１ａが形成されており、この溝５１ａに鍵盤蓋本体５３の凸部５３ａが例えば接着剤を介して嵌合することにより、両者５１，５３は、互いにほぼ直角をなすように接合されている。
【００５３】
後端部の取付けバー５２は、例えば１枚の鋼板を曲げ加工することによって断面Ｌ字形に形成されており、直角よりもやや小さな角度で折り曲げられている。この取付けバー５２は、固定部５２ａおよび係合部５２ｂを有しており、固定部５２ａの孔（図示せず）を介して、鍵盤蓋本体５３の裏面にねじ込まれた複数のねじ５４（１つのみ図示）によって、鍵盤蓋本体５３に固定されている。この状態では、固定部５２ａが鍵盤蓋本体５３の裏面に沿って延びるとともに、係合部５２ｂは、鍵盤蓋本体５３の背面とほぼ面一の状態で、ほぼ鉛直下方に延びている。
【００５４】
係合部５２ｂには、これを覆うようにフェルト５５が設けられている。このフェルト５５は、係合部５２ｂの左右方向にわたって延びており、係合部５３ｂの下端で折り返され、例えば両面テープによって、係合部５２ｂの前面および後面に貼り付けられ、それらを下端から中央にわたって覆っている。また、この係合部５２ｃには、これを前後方向に貫通するように、所定の間隔を存して左右の両端部に取付け孔５２ｃがそれぞれ形成されている（図３参照）。
【００５５】
また、鍵盤蓋本体５３の上面には、鍵盤蓋５０をピアノ本体２に着脱するための左右２つの取っ手５６，５６が設けられている。２つの取っ手５６，５６は、互いに所定の間隔を存し、鍵盤蓋５０の前後方向の重心位置にそれぞれ配置されていて、鍵盤蓋本体５３の裏面側からこれを貫通するねじ５７により、鍵盤蓋本体５３を間に挟んだ状態で、それぞれ鍵盤蓋本体５３に固定されている。以上のような鍵盤蓋５０は、前付５１の下端が口棒８の上端に載置されるとともに、取り付けバー５２の係合部５２ｂが、フェルト５５を介して、鍵１３に上方から載置された状態で、すべての鍵１３を上方から覆い、これらを閉じている。
【００５６】
棚板４の下方には、左右のスタンド１１，１１の間に背板６０が設けられている。この背板６０は、スタンド１１，１１の後端部に所定の高さ位置に配置されており、左右方向およびほぼ鉛直に延びている。図３に示すように、この背板６０の前面の上端部には、左右２つのフック部材６１，６１（鍵盤蓋取付け部）が所定の間隔を存して設けられている。各フック部材６１は、ブロック状の基部６１ａ、およびこの基部６１ａから上方に突出するピン６１ｂを有しており、方形に配置された４つのねじ６２が前方からねじ込まれることにより、基部６１ａが背板６０と上面面一の状態で、背板６０に固定されている。また、両フック部材６１，６１のピン６１ｂ，６１ｂ間の間隔は、前述した鍵盤蓋５０の取付けバー５２の２つの取付け孔５２ｃ，５２ｃ間の間隔と等しく設定されている。
【００５７】
以上の構成の電子ピアノ１を演奏する際には、演奏者は、まず、鍵盤蓋５０をピアノ本体２から取り外す。その際、演奏者は、鍵盤蓋５０の左右の取っ手５６，５６をそれぞれつかみ、鍵盤蓋５０を上方に持ち上げる。前述したように、取っ手５６は、鍵盤蓋５０の前後方向の重心位置に配置されていることにより、演奏者は、鍵盤蓋５０を安定した状態で容易に持ち上げることができる。このように鍵盤蓋５０を取り外すことにより、鍵１３が露出する開放状態となり、演奏者による演奏が可能になる。
【００５８】
次いで、取り外した鍵盤蓋５０を、ピアノ本体２の下方の背板６０に取り付ける。具体的には、図３に示すように、取付けバー５２を上側に、前付５１を下側にして鍵盤蓋５０を取り付ける。その際には、図４に示すように、取付けバー５２の取付け孔５２ｃを、フック部材６１のピン６１ｂに係合させることによって、係合部５２ｂをフック部材６１および背板６０の上面に載置させる。この状態では、係合部５２ｂに貼り付けられたフェルト５５が、係合部５２ｂと、フック部材６１および背板６０との間に挟まれた状態になる。このように、鍵盤蓋５０は、係合部５２ｂがフック部材６１に引っ掛かった状態で、背板６０に取り付けられる。  
【００５９】
演奏者が鍵１３を押鍵すると、鍵１３およびハンマー１４がそれぞれ所定の方向に回動する。具体的には、鍵１３は、そのストッパ部２４がシャーシ１２の鍵通過孔２５を通過しながら、ピン３３を中心として下方（図２の反時計方向）に回動するとともに、白鍵用ガイド２６ａまたは黒鍵用ガイド２６ｂにより、左右方向にぶれないように案内される。また、このときの鍵１３の下方への回動は、その下面が鍵下限ストッパ２７ａまたは２７ｂに当接することによって規制される。
【００６０】
この鍵１３の押鍵に伴い、ハンマー１４は、スイッチ押圧部３８が鍵１３のアクチュエータ部３９で押圧されることによって、ピン３７を中心として上方（図２の時計方向）に回動する。そして、ハンマー１４のストッパ３５ａがハンマー上限ストッパ３４に当接することにより、押鍵時のハンマー１４の回動が終了する。鍵１３の回動もまた、ほぼ同時に終了し、鍵下限ストッパ２７ａまたは２７ｂによりその回動が阻止される。また、ハンマー１４の上方への回動は、ハンマー上限ストッパ３４によって規制される。
【００６１】
また、このハンマー１４が、所定の角度まで回動したときに、そのスイッチ押圧部３８が鍵スイッチ３０のスイッチ本体３２を押下し、オン動作させる。これにより、鍵３の押鍵情報が検出され、その検出結果、および操作盤４０の複数のスイッチ類４３によって設定された演奏機能に応じて、発音制御装置４１により、スピーカ５に放音させるための演奏音を示す発音信号が生成される。そして、生成された発音信号が、スピーカ５に入力されることにより、その放音面５ａから、演奏音が放音される。
【００６２】
演奏の終了後には、演奏者は、演奏前と全く逆の動作により、鍵盤蓋５０を、フック部材６１から取り外し、口棒８および鍵１３に載置することによって、鍵１３を閉鎖状態にする。その際、取付けバー５３の係合部５３ｂに貼り付けられたフェルト５５により、鍵盤蓋５０は、鍵１３を傷付けることなく載置される。
【００６３】
以上の構成の電子ピアノ１によれば、棚板４と鍵盤装置１０の間の空間に、スピーカ５が配置されていることにより、棚板４の下方や鍵盤装置１０の後方にスピーカを設けるための構成が不要になるので、その分、製造コストを削減することができるとともに、ピアノ本体２をコンパクトにすることができる。
【００６４】
また、鍵盤装置１０と棚板４の間に設けられたハンマー１４は、後端部のピン３７において回動自在に支持され、このピン３７から主要部３５ｂが前方に延びており、スピーカ５は、このピン３７を間にしてハンマー１４の主要部３５ｂと反対側に配置されている。それにより、棚板４と鍵盤装置１０の間の主要部３５ｂが回動する空間を避けた位置にスピーカ５が配置されるので、ハンマー１４の回動を邪魔することがないとともに、電子ピアノ１のピアノ本体２を、全体としてよりコンパクトにすることができる。
【００６５】
また、演奏時に鍵盤蓋５０をピアノ本体２から取り外したときに、取り外した鍵盤蓋５０を、背板６０のフック部材６１，６１に取り付けて保管することができる。それにより、ピアノ本体２から取り外した鍵盤蓋５０を、演奏中に、他の場所に保管したり、ピアノ本体２や壁などに立て掛けて保管したりする必要がない。したがって、鍵盤蓋５０の紛失や破損、および鍵盤蓋５０によってピアノ本体２やスタンド１１を傷付けてしまうことなどを防止することができる。
【００６６】
また、鍵盤蓋５０が背板６０に取り付けられた状態では、演奏中に、鍵盤蓋５０の係合部５２ｂと、背板６０およびフック部材６１との間にフェルト５５が介在していることにより、演奏音により鍵盤蓋５０が共振することや、強く押鍵したときの衝撃などにより鍵盤蓋５０が振動することを防止できるので、演奏中、これらの共振や振動に起因する雑音の発生を防止することができる。また、鍵盤蓋５０が背板６０に取り付けられた状態では、鍵盤蓋５０は、ピアノ本体２の後端部の下方に配置されることにより、電子ピアノ１の設置面とピアノ本体２の間の空間が確保されるので、演奏者は、鍵盤蓋５０が邪魔になることなく通常の姿勢で演奏することができる
【００６７】
また、操作盤４０ａが口棒８によって隠されることにより、操作盤４０ａおよびスイッチ類４３が、従来の電子鍵盤楽器のパネル面およびスイッチなどよりも演奏者などから見え難くなる。それにより、電子ピアノ特有の演奏機能を設定するための操作盤４０ａおよびスイッチ類４３を省略することなく、すなわち電子ピアノとしての演奏機能や操作性を損なうことなく、演奏者などに、外観について違和感を感じさせず、より鍵盤楽器らしい印象を与えることができる。
【００６８】
また、電子基板４２およびスピーカ５が、ともに棚板４に設けられ、互いに近い位置に配置されていて、電子基板４２は、演奏機能を設定するためのスイッチ類４３用の基板４２ａを有するとともに、スピーカ５に接続されている。したがって、両者４３，５の基板を互いに遠い位置に設ける必要がないとともに、基板間を接続するための配線を不要とすることができるので、その分、製造コストを削減することができるとともに、配線に電流が生じることによる電電磁波の発生を抑制することができる。
【００６９】
また、操作盤４０ａは、口棒８よりも暗い色彩を有しているので、口棒８よりも下方かつ奥側に配置されていることと相まって、操作盤４０ａを目立ち難くすることができる。したがって、操作盤４０ａおよびこれに設けられたスイッチ類４３が目立たなくなることで、アコースティックな鍵盤楽器により近い外観を得ることができる。
【００７０】
図５は、本発明の第２実施形態による電子ピアノ７０（電子鍵盤楽器）を示している。この電子ピアノ７０は、基本的には、前述した第１実施形態の電子ピアノ１とほぼ同様の構成を有しているので、以下、互いに共通する構成要素については同一の符号を用い、電子ピアノ１との相違点を中心として説明する。
【００７１】
電子ピアノ１の鍵盤装置１０は、複数の長ねじ７を介して棚板４によって支持されているのに対し、本実施形態の鍵盤装置１０は、長ねじ７の代わりとして、前後２つの支持バー７１ａ，７１ｂ（鍵盤装置支持部材）を介して棚板４に支持されている。これらの支持バー７１ａ，７１ｂは、鍵盤装置１０の左右方向にわたって延びており、例えば１枚の鋼板を曲げ加工することによって断面コ字形に形成されていて、複数のねじ７２（前後各１つのみ図示）によってそれぞれ棚板４に固定されるとともに、複数のねじ７３（前後各１つのみ図示）によって連結バー１６ａ，１６ｄにそれぞれ固定されている。
【００７２】
また、支持バー７１ａ，７１ｂの高さは、スピーカ５の高さに応じて設定されている。それにより、この電子ピアノ７０では、鍵盤装置１０およびスピーカ５は、互いに上下方向に非常に近接して配置されており、両者１０，５の間の間隙が非常に狭い。また、スピーカ５および棚板４の放音孔４ａは、スピーカ５とオクターブごとに設けられたリブ１８とが干渉するのを避けるために、リブ１８に対して左右方向にずれた位置に配置されている。これらにより、ピアノ本体２全体の高さが、第１実施形態のピアノ本体２よりも低くなっている。
【００７３】
また、棚板４は、その前端部および後端部において、それぞれ口棒８および背壁４５の下端部に例えば接着によって接合されており、第１実施形態における発音制御装置４１のスイッチ用基板４２ａおよび、口棒８の下方に配置されたスイッチ類４３などは、第１実施形態と異なる位置、例えば側板３や屋根板４６などに設けられている（図示せず）。他の構成は、第１実施形態の電子ピアノ１と同様である。
【００７４】
以上の構成の電子ピアノ７０によれば、鍵盤装置１０は、支持バー７１ａ，７１ｂによって、棚板４との間にスピーカ５の高さに応じた間隔を存して支持されており、それにより、棚板４、スピーカ５および鍵盤装置１０は、互いに上下方向にほぼ隙間なく並んでいる。したがって、電子ピアノ７０のピアノ本体２を、その高さを最小限にすることによって、よりコンパクトに構成することができる。
【００７５】
また、スピーカ５および鍵盤装置１０は、互いにほぼ隙間なく配置されていることにより、スピーカ５から放音された演奏音は、左右方向に並ぶ複数の鍵１３の間の隙間を通過し、演奏者などに直接、到達する。鍵１３の間の隙間は非常に狭いので、波長の短い高音域の音がこの隙間を通過しやすい。したがって、特に高音域の演奏音が、スピーカ５から演奏者などに直接、届くことにより、高音域の音質を、従来よりも向上させることができる。さらに、高音域の音質の向上により、従来、使用されることのあった高音用のツィータが不要になり、その分、製造コストを削減することができる。
【００７６】
図６は、本発明の第３実施形態による電子ピアノ８０（電子鍵盤楽器）を示している。この電子ピアノ８０もまた、基本的には、前述した第１実施形態の電子ピアノ１と同様の構成を有しているので、以下、互いに共通する構成要素については同一の符号を用い、電子ピアノ１との相違点を中心として説明する。
【００７７】
この電子ピアノ８０は卓上型のものであり、電子ピアノ１のスタンド１１，１１は省略されている。この電子ピアノ８０では、各側板３の下面に前後２つの台座８１，８１が取り付けられており、電子ピアノ８０は、これらの台座８１を介して、例えばテーブルＴに載置されている。また、電子ピアノ１では、棚板４が、ほぼ水平に設けられているのに対し、本実施形態の棚板４は、後方に向かって所定の角度で下方に傾斜した状態で設けられており、棚板４の前端部および後端部が、口棒８および背壁４５の下端部に例えば接着によってそれぞれ接合されている。
【００７８】
これにより、棚板４とテーブルＴの間には、前方の演奏者側に開口する空間が形成されており、棚板４が傾斜していることにより、スピーカ５は、その放音面５ａが前側に斜め下方に向かって、すなわち上述した空間に向かって配置されている。また、第１実施形態における発音制御装置４１のスイッチ用基板４２ａおよび、口棒８の下方に配置されたスイッチ類４３などは、第１実施形態と異なる位置、例えば側板３や屋根板４６などに設けられている（図示せず）。
【００７９】
また、電子ピアノ１では、鍵盤装置１０は、複数の長ねじ７によって支持されているのに対し、本実施形態の鍵盤装置１０は、前後２つの支持バー８２ａ，８２ｂ（鍵盤装置支持部材）によって支持されている。これらは、鍵盤装置１０の左右方向にわたって延びており、例えば１枚の鋼板を曲げ加工することによって、それぞれ所定の形状に形成されている。前側の支持バー８２ａは、棚板４の傾斜角度に合わせ、所定の角度で折り曲げられており、後側の支持バー８２ｂは、鍵盤装置１０を水平な状態で支持するために、棚板４の傾斜角度に応じてより大きな高さを有している。このような支持バー８２ａ，８２ｂは、複数のねじ８３（前後各１つのみ図示）によって棚板４に、複数のねじ８４（前後各１つのみ図示）によって連結バー１６ａ，１６ｄにそれぞれ固定されている。他の構成は、第１実施形態の電子ピアノ１と同様である。
【００８０】
以上の構成の電子ピアノ８０によれば、鍵盤装置１０と棚板４の間に空間が形成されるので、この空間にスピーカ５および発音制御装置４１などの構成部品を配置することができ、それにより、電子ピアノ８０のピアノ本体２をコンパクトにすることができる。また、棚板４と、電子ピアノ８０が載置されたテーブルＴの間に、前方の演奏者側に開放する空間が形成されており、スピーカ５の放音面５ａが、前側に斜め下方に向かって、すなわちこの空間に向かって配置されていることにより、放音された演奏音は、テーブルＴおよび棚板４によって反射されながら、演奏者などに届く。したがって、従来のスピーカの放音面が鉛直下方に向かって配置されている場合よりも、演奏音が演奏者などに届き易い。それにより、この電子ピアノ８０では、コンパクトな外形を維持しながら、より高音質の演奏音を演奏者などに届けることができる。
【００８１】
なお、本発明は、上述した各実施形態に限定されることなく、種々の態様で実施することができる。例えば、第１および第２実施形態では、ハンマー１４の主要部３５ｂを前側に、スピーカ５を後側に配置した例であるが、ハンマー１４の主要部３５ｂを、ピン３７から後方に延びるように構成するとともに、スピーカ５を、ピン３７を間にして前方に配置してもよい。
【００８２】
また、前述した第３実施形態の電子ピアノ８０は、本発明を卓上型の電子ピアノに適用した例であるが、これに限定されることなく、ピアノ本体２を、スタンドなどによって支持してもよい。それにより、棚板４が傾斜して配置されていることによって、電子ピアノ８０の設置面とピアノ本体２の間の空間が、演奏者側ほど広く確保されるので、演奏者の脚が棚板４に当ることなく演奏を行うことができる。また、各実施形態は、本発明を電子ピアノに適用した例であるが、他のタイプの電子鍵盤楽器に適用してもよいことはもちろんである。その他、細部の構成を、本発明の趣旨の範囲内で適宜、変更することが可能である。
【符号の説明】
【００８３】
１    電子ピアノ（電子鍵盤楽器）    
２    ピアノ本体（楽器本体）
４    棚板
５    スピーカ
８    口棒
１０    鍵盤装置
１１    スタンド
１３    鍵
１４    ハンマー
３５ｂ  主要部
３７    ピン（支点）
４０ａ  操作盤
４２    電子基板
４３    スイッチ類（操作子）
５０    鍵盤蓋
５２ｂ  係合部
５５    フェルト
６０    背板
６１    フック部材（鍵盤蓋取付け部）
７０    電子ピアノ（電子鍵盤楽器）
７１ａ  支持バー（鍵盤装置支持部材）
７１ｂ  支持バー（鍵盤装置支持部材）
８０    電子ピアノ（電子鍵盤楽器）
８２ａ  支持バー（鍵盤装置支持部材）
８２ｂ  支持バー（鍵盤装置支持部材）
【図１】
2005266176.tif 000003
【図２】
2005266176.tif 000004
【図３】
2005266176.tif 000005
【図４】
2005266176.tif 000006
【図５】
2005266176.tif 000007
【図６】
2005266176.tif 000008
【図７】
2005266176.tif 000009
【図８】
2005266176.tif 000010